(57)【要約】【課題】携帯型電子機器の電池蓋と接続端カバー間の干渉防止並びにデザイン上の自由度及び薄型化の両立を可能にする。【解決手段】（ａ）図において電池蓋２２を右向きにスライドさせて接続端カバー２３の右辺に相当する部分がコネクタ２８の前面の左辺にぶつかっても、電池蓋２２と接続端カバー２３はコネクタ２８の前面よりも紙面に対してさらに手前に位置しているので、コネクタ２８との機械的な干渉が小さくて済む。干渉があっても、接続端カバー２３の下辺に相当する部分が紙面に対して手前の向きにはね上がるように構成しておけば問題にならない。そうすると（ｂ）図において紙面に正対する向きから見て、電池蓋２２を接続端カバー２３の両側において本体部分２１の厚み方向に略等長であるように形成し、例えば電池蓋２２と本体部分２１の色を分けて塗装する場合に左右にまっすぐな色の分離ラインを描くことができる。【選択図】図６
2010040386.tif 000002
【特許請求の範囲】
【請求項１】
外部インターフェース用の接続端と、電池格納用のスペースを有する筐体と、
前記筐体に対して着脱可能に構成され、前記筐体に取り付けられたとき前記外部インターフェース用の接続端の前面に当る位置に接続端カバーが設けられてなる電池蓋とを
備えたことを特徴とする携帯型電子機器。
【請求項２】
前記電池蓋は、前記筐体に取り付けられたとき前記外部インターフェース用の接続端の正面に当る向きから見て、前記接続端カバーの両側において前記筐体の厚み方向に略等長であるように形成されたことを特徴とする請求項１に記載の携帯型電子機器。
【請求項３】
前記電池蓋は、前記筐体に取り付けられたとき前記筐体の厚み方向から見て前記筐体の略全面をカバーするように形成されたことを特徴とする請求項１に記載の携帯型電子機器。
【請求項４】
前記外部インターフェース用の接続端はケーブル接続用コネクタであることを特徴とする請求項１に記載の携帯型電子機器。
【請求項５】
前記外部インターフェース用の接続端は媒体格納用スロットであることを特徴とする請求項１に記載の携帯型電子機器。
【発明の詳細な説明】
【技術分野】
【０００１】
本発明は携帯型電子機器に係り、特に電池を格納して電源として使用することができる携帯型電子機器に関する。
【背景技術】
【０００２】
携帯電話機やデジタルカメラ等の携帯型電子機器は、一般に電池を格納して電源として使用することができるように構成されている。携帯型電子機器の筐体には電池格納用のスペースが設けられ、そのスペースをカバーするように電池蓋を取り付けることができる。
【０００３】
一方で、携帯型電子機器の多機能化や軽薄短小化が進んでいる。そのため、電池蓋も実装スペースとして利用したり、機械的強度を損なわないようにしながら電池蓋の占めるスペースを節約したりする技術が知られている（例えば、特許文献１又は特許文献２参照。）。
【０００４】
上記の特許文献１には、無線個体識別（Ｒａｄｉｏ  Ｆｒｅｑｕｅｎｃｙ  Ｉｄｅｎｔｉｆｉｃａｔｉｏｎ（ＲＦＩＤ））機能を搭載した携帯電子機器の電池蓋にアンテナを実装し、アンテナの端子に弾接する接点を介してアンテナを携帯電子機器の内部に実装された回路に接続する技術が開示されている。
【０００５】
上記の特許文献２には、電池収納部を閉塞する電池蓋ユニットをモールド製の電池蓋及び金属製の第一プレートで構成することにより外観性と強度を確保すると共に、電池蓋及び第一プレートに設けた穴を通してケーブル端子に外部電源ケーブルを接続可能にするという技術が開示されている。
【特許文献１】特開第２００８−５４１１３号公報（第３ページ、図６）
【特許文献２】特開第２００６−２１０２５１号公報（第７、８ページ、図６）
【発明の開示】
【発明が解決しようとする課題】
【０００６】
携帯型電子機器は、近年の多機能化に伴って、各種の外部インターフェース用の接続端（例えばケーブル接続用コネクタ、媒体格納用スロット等）を持つようになっている。これらの接続端には、使用しないときの防塵対策のためにカバーを設ける必要がある。
【０００７】
従来の携帯型電子機器においては、上述した接続端カバーは筐体に取り付けられている。しかし、薄型の筐体に対して電池蓋を（筐体の厚み方向に垂直な向きに）スライドさせて取り付ける（又は取り外す）構造の場合に、接続端カバーと電池蓋が機械的に干渉するおそれがある。これを避けるために電池蓋の側面の一部を取り去ったり、筐体の厚みを接続端の高さ寸法以上にしたりする解決策がとられてきたが、これらの解決策はデザイン上の自由度向上や薄型化の妨げになりやすいという問題がある。
【０００８】
上述した特許文献１又は特許文献２に記載された従来の技術は、電池蓋に関連するとはいえ異なる種類の問題の解決を図るものであって、上記の機械的干渉の防止とデザイン上の自由度及び薄型化の両立という課題の解決に寄与するものではない。
【０００９】
本発明は上記問題を解決するためになされたもので、携帯型電子機器の電池蓋と接続端カバー間の干渉防止並びにデザイン上の自由度及び薄型化の両立を可能にすることを目的とする。
【課題を解決するための手段】
【００１０】
上記目的を達成するために、本発明の携帯型電子機器は、外部インターフェース用の接続端と、電池格納用のスペースを有する筐体と、前記筐体に対して着脱可能に構成され、前記筐体に取り付けられたとき前記外部インターフェース用の接続端の前面に当る位置に接続端カバーが設けられてなる電池蓋とを備えたことを特徴とする。
【発明の効果】
【００１１】
本発明によれば、電池蓋の側に接続端カバーを設けることにより、携帯型電子機器の電池蓋と接続端カバー間の干渉防止並びにデザイン上の自由度及び薄型化を両立させることができる。
【発明を実施するための最良の形態】
【００１２】
以下、図１ないし図６を参照して、本発明の実施例を説明する。なお以下の各図を参照しながら上下左右又は水平、垂直（鉛直）をいうときは、特に断らない限り、図が表された紙面における上下左右又は水平、垂直（鉛直）を意味するものとする。また、各図の間で同一の符号は、同一の構成を表すものとする。
【００１３】
図１は、本発明の実施例に係る携帯型電子機器である折りたたみ型の携帯通信端末１の外観図である。携帯通信端末１は、第１筐体１１と第２筐体１２が開閉可能に接続されて構成される。図１は、第１筐体１１と第２筐体１２が互いに開いた状態を使用者側から見て表した正面図である。なお、携帯通信端末１の筐体構成は、図１に表したような折りたたみ型に限るものではない。
【００１４】
第１筐体１１には、例えば液晶デバイスからなる表示部１４が取り付けられている。表示部１４はテキスト及び画像を表示することができ、携帯通信端末１は表示部１４を用いて画面表示を伴うアプリケーション（例えば電子メール送受信、ウェブページ閲覧、電話帳の作成と閲覧、その他）を実行することができる。第１筐体１１には、受話部１５が取り付けられている。第２筐体１２には、送話部１６が取り付けられている。携帯通信端末１は、受話部１５と送話部１６を備えたことにより、音声通話に用いることができる。
【００１５】
第２筐体１２には、複数の操作キーからなる操作部１７（破線の枠で囲んで表す。）が取り付けられている。操作部１７は、図示しない第１筐体１１又は第２筐体１２の側面又は背面に設けられた操作キーを含んでもよい。操作部１７に属する操作キーが操作されることにより、携帯通信端末１の起動、停止操作又はテキストや操作コマンドの入力が可能になる。上述した表示部１４、受話部１５、送話部１６及び操作部１７は、いずれも携帯通信端末１のユーザーインターフェース手段として機能する。
【００１６】
図２は、携帯通信端末１の第１筐体１１と第２筐体１２が互いに開いた状態における正面のやや右手から見た斜視図である。第１筐体１１及び第２筐体１２以外の構成の図示は、省略している。第２筐体１２の図２における上側の面を前面、その反対側の図示されていない面を背面と呼ぶことにする。
【００１７】
図３は、第２筐体１２の背面側を上に向けて表した斜視図である。第２筐体１２は、本体部分２１と、電池蓋２２とを有している。本体部分２１は、さらに前面側ケースと背面側ケースに分割することができるが、それらの図示は省略する。電池蓋２２には、ハッチングを付して表した接続端カバー２３が設けられている。
【００１８】
図４は、図３と同様に第２筐体１２の背面側を上に向けると共に、本体部分２１と電池蓋２２を上下に分離した状態で表す図である（ただし、電池蓋２２の本体部分２１に対する着脱を上下の向きに行うことを意味しない。）。電池蓋２２は、本体部分２１に取り付けられた状態で本体部分２１の厚み方向に（すなわち、図４の上方から下方に向かって）見たとき、本体部分２１の略全面をカバーするように形成されたものである。
【００１９】
本体部分２１には電池格納用のスペース２５が設けられ、電池蓋２２を本体部分２１から取り外したとき電池の着脱を行えるように構成されている。本体部分２１には、回路部２７及びこれに接続されたケーブル接続用コネクタ２８が設けられている。ケーブル接続用コネクタ２８に図示しないケーブルを接続して、回路部２７を図示しない外部機器に接続することができる。
【００２０】
接続端カバー２３は、電池蓋２２が本体部分２１に取り付けられたときケーブル接続用コネクタ２８の前面に当る位置に設けられている。そうすると、電池蓋２２を本体部分２１に取り付けたときケーブル接続用コネクタ２８の前面を接続端カバー２３によってカバーすることができる。なお、本体部分２１に設けられた例えばメモリカードのような媒体を格納することのできるスロットを、接続端カバー２３によってカバーするものとしてもよい。
【００２１】
図５は、電池蓋２２の本体部分２１に対する着脱の向きを説明する図である。電池蓋２２は、電池格納用のスペース２５が設けられた本体部分２１の背面側の面に対してスライドする向き（図５の白抜きのブロック矢印で表す。）で着脱可能であるように構成されている。なお、図５に表した各構成は図４に表した各構成と同じであるからそれぞれ同じ符号で表し、説明を省略する。
【００２２】
図６（ａ）は、電池蓋２２の本体部分２１に対する着脱の状態を、図５の黒色で塗りつぶしたブロック矢印の向きに見て表す図である。図６（ａ）に表した各構成は図４に表した各構成と同じであるからそれぞれ同じ符号で表し、説明を省略する。上記の着脱の向きを、白抜きのブロック矢印で表す。接続端カバー２３は例えば弾性を有する材料で形成され、図６（ａ）に表した輪郭のうち上辺に相当する部分が電池蓋２２に固定されているとする。
【００２３】
図６（ａ）において電池蓋２２を右向きにスライドさせて行くと、接続端カバー２３の右辺に相当する部分がコネクタ２８の前面の左辺にぶつかる形になるが、電池蓋２２と接続端カバー２３はコネクタ２８の前面よりもさらに前面（紙面に対して手前）に位置しているので、コネクタ２８との機械的な干渉は小さくて済む。また、接続端カバー２３とコネクタ２８の間に若干の機械的干渉が生じても、接続端カバー２３の下辺に相当する部分が紙面に対して手前の向きにはね上がるように構成しておけば問題にならない。
【００２４】
図６（ｂ）は、電池蓋２２が本体部分２１に取り付けられた状態を、図６（ａ）と同じ向きに見て表す図である。図６（ｂ）に表した各構成は、図６（ａ）に表した各構成と同じである。
【００２５】
図６（ａ）を参照して説明したように接続端カバー２３とコネクタ２８の機械的干渉が問題にならないから、コネクタ２８の正面に当る向き（図６（ｂ）において紙面に正対する向き）から見て、電池蓋２２を接続端カバー２３の両側において本体部分２１の厚み方向（すなわち携帯通信端末１の筐体の厚み方向であって、図６（ａ）、（ｂ）における上下方向）に略等長であるように形成することができる。その結果、例えば電池蓋２２と本体部分２１の色を分けて塗装する場合に、図６（ａ）又は（ｂ）において左右にまっすぐな色の分離ラインを描くことができる。
【００２６】
図７（ａ）は、比較の対象とするため接続端カバーが本体部分側に設けられた場合の電池蓋の着脱の状態を表す図である。図７（ａ）において符号３１、３２及び３３を付して表した構成は、それぞれ図６（ａ）における本体部分２１、電池蓋２２及び接続端カバー２３に対応する。
【００２７】
図７（ｂ）は、電池蓋３２が本体部分３１に取り付けられた状態を、図７（ａ）と同じ向きに見て表す図である。図７（ｂ）に表した各構成は、図７（ａ）に表した各構成と同じである。なお接続端カバー３３は、図７（ａ）、（ｂ）において、本体部分３１に設けられた図示しないコネクタの前面をカバーしている。
【００２８】
図７（ａ）に示すように、電池蓋３２の筐体の厚み方向（図７（ａ）、（ｂ）における上下方向）の寸法は、左端部から内側に入った箇所で小さくなり、右方へ向かってその寸法を維持している。こうすることによって、電池蓋３２を右向きにスライドさせて行くとき、電池蓋３２と同じく図示しないコネクタの前面よりさらに前面（紙面に対して手前）に位置している接続端カバー３３との機械的な干渉を回避することができる。
【００２９】
しかしその結果、図７（ｂ）に示すように、図示しないコネクタの正面に当る向き（図７（ｂ）において紙面に正対する向き）から見て、電池蓋３２を接続端カバー３３の両側において本体部分３１の厚み方向（図７（ａ）、（ｂ）における上下方向）に略等長であるように形成することはできない。
【００３０】
なお、干渉回避のもう一つの方法は図７（ａ）において接続端カバー３３の（従って、図示しないコネクタの）位置を下方にずらすことであるが、本体部分３１の厚みに余裕がなければその方法をとることはできないので、薄型化に逆行する結果を招くことになる。
【００３１】
図７（ｂ）に示すように、本体部分３２を上述した向きに見たときの厚み方向（上下方向）の寸法が接続端カバー３３の両側において段差を生じるため、例えば電池蓋３２と本体部分３１の色を分けて塗装する場合に、図７（ａ）又は（ｂ）において左右にまっすぐな色の分離ラインを描くことができない（そのように描くには、本体部分３１を複数色で塗り分ける必要がある。）。
【００３２】
以上の図６（ａ）、（ｂ）と図７（ａ）、（ｂ）の比較からわかるように、接続端カバー２３を電池蓋２２に設けることによって、接続端カバー２３の両側における電池蓋の寸法を揃えることができるから、携帯通信端末１の筐体の厚みを必要以上に増大させることなくカラーリングをはじめとするデザイン上の自由度を向上させることができる。
【００３３】
以上の本発明の実施例によれば、携帯型電子機器の電池蓋と接続端カバー間の干渉防止並びにデザイン上の自由度及び薄型化を両立させることができる。以上の説明において、携帯型電子機器の外観、形状、構成、接続端カバーの取り付け方は一例であり、本発明の要旨を逸脱しない範囲でさまざまな変形が可能である。
【図面の簡単な説明】
【００３４】
【図１】本発明の実施例に係る携帯型電子機器の外観（正面）図。
【図２】本発明の実施例に係る携帯型電子機器の筐体の斜視図。
【図３】本発明の実施例に係る携帯型電子機器の一方の筐体の背面側を上に向けて表した斜視図。
【図４】本発明の実施例に係る携帯型電子機器の一方の筐体の本体部分と電池蓋を上下に分離した状態で表す図。
【図５】本発明の実施例に係る携帯型電子機器の電池蓋の本体部分に対する着脱の向きを説明する図。
【図６】（ａ）は本発明の実施例に係る携帯型電子機器の電池蓋の本体部分に対する着脱の状態を表す図、（ｂ）は電池蓋が本体部分に取り付けられた状態を表す図。
【図７】（ａ）は比較の対象とするため接続端カバーが本体部分側に設けられた場合の電池蓋の着脱の状態を表す図、（ｂ）はその場合に電池蓋が本体部分に取り付けられた状態を表す図。
【符号の説明】
【００３５】
１  携帯通信端末
１１  第１筐体
１２  第２筐体
１４  表示部
１５  受話部
１６  送話部
１７  操作部
２１、３１  本体部分
２２、３２  電池蓋
２３、３３  接続端カバー
２５  電池格納用のスペース
２７  回路部
２８  ケーブル接続用コネクタ
【図１】
2010040386.tif 000003
【図２】
2010040386.tif 000004
【図３】
2010040386.tif 000005
【図４】
2010040386.tif 000006
【図５】
2010040386.tif 000007
【図６】
2010040386.tif 000008
【図７】
2010040386.tif 000009